(57)【要約】
【課題】板状の扉基材の一方の小口面に断面Ｕ字状の指掛け溝が形成され、真空加工法によりパネルの表面側に貼着される化粧シートの一部で前記指掛け溝の凹面を被覆した板状扉の把手構造と、この把手構造を有する板状扉を備えた開閉扉と、収納棚の開口部を開閉する開閉扉の表面が少なくとも壁面の一部を構成するような壁面構造とを提供する。
【解決手段】板状の扉基材の表面に真空加工法により化粧シートを密着せしめて製造される板状扉の把手構造であって、前記化粧シートの一部分が、前記扉基材の一方の小口面に形成されて断面Ｕ字状の指掛け溝を構成する凹面に密着して、該凹面が前記扉基材の表面と共に一枚の前記化粧シートによって覆われており、前記扉基材の端縁部からの指掛け溝の深さが、前記凹面への前記化粧シートの真空加工法による密着加工を可能とする深さ寸法より大きい寸法で形成されていることを特徴とする。
【選択図】図３
0003100903.tif 000002
【実用新案登録請求の範囲】
【請求項１】
板状の扉基材の表面に真空加工法により化粧シートを密着せしめて製造される板状扉の把手構造であって、前記化粧シートの一部分が、前記扉基材の一方の小口面に形成されて断面Ｕ字状の指掛け溝を構成する凹面に密着して、該凹面が前記扉基材の表面と共に一枚の前記化粧シートによって覆われており、前記扉基材の端縁部からの指掛け溝の深さが、前記凹面への前記化粧シートの真空加工法による密着加工を可能とする深さ寸法より大きい寸法で形成されていることを特徴とする板状扉の把手構造。
【請求項２】
指掛け溝の最深部から扉基材の端縁部までの該指掛け溝の深さ方向における寸法が、扉基材の表側よりも該扉基材の裏側の方が長く形成されていることを特徴とする請求項１に記載の板状扉の把手構造。
【請求項３】
請求項１又は２に記載の把手構造を有する板状扉を備えていることを特徴とする開閉扉。
【請求項４】
請求項２に記載の把手構造を有する一対の板状扉を指掛け溝が対向するように配置し、該一対の板状扉により観音開き状に構成されていることを特徴とする開閉扉。
【請求項５】
収納棚と、該収納棚の開口部を開閉可能に覆うように配置された請求項３又は４に記載の開閉扉とを有し、該開閉扉の閉扉状態において板状扉の表面により壁面の少なくとも一部を構成することを特徴とする壁面構造。
【考案の詳細な説明】
【技術分野】
【０００１】
本考案は、板状扉の小口に設けられる把手構造と、該把手構造を有する板状扉を備えた開閉扉と、その開閉扉を備えた壁面構造とに関するものである。
【背景技術】
【０００２】
近時は居室空間の有効利用を図ると共に広い収納スペースを得るために、壁面に収納棚を設けて該収納棚に板状の開閉扉を設け、しかも該開閉扉の表面があたかも壁面の一部であるかのようにインテリアデザインされた居室空間が要望されることがある。
【０００３】
前記のような要望に応えるための開閉扉は、扉自体が一枚物であることが望ましいばかりではなく、開閉扉の把手が室内側に突出したり把手としての指掛け用の凹部が室内側に露呈したりすることは好ましくない。
【０００４】
従来、開閉扉の表面から把手部が突出しないようにするために、扉を板体と該板体の小口に取り付けられる枠体とで構成し、板体の小口面には枠体を固定するための挿入溝を形成し、枠体の表面側には把手としての手掛け凹部を形成すると共に前記小口面に取り付けられる面には前記挿入溝に挿入される挿入突条を設けて該挿入突条を圧入するようにしたものが提案されている（例えば、特許文献１）。
【特許文献１】特開平８−９３２８０号公報
【０００５】
特許文献１に示すような従来の扉構造にあっては、把手部が室内側に突出しない利点はあるが、扉が板体と該板体の小口に取り付けられる枠体とで構成されているから、板体と枠体との接合線が露呈し、また、枠体の表面側（室内側）に手掛け凹部が形成されているから、扉が一枚物の壁面パネルであるかの如き様相を呈しない、という欠点がある。
【０００６】
そこで、近時、板状扉の一方の小口面に断面Ｕ字状の指掛け溝を形成して該指掛け溝を把手部とした開閉扉を用いることが検討されているが、このような扉の製品化に際しては前記指掛け溝の化粧加工において問題点が生じている。すなわち、一般に、木質パネルで壁面パネルや扉等を形成する場合、パネル基材の表面及び裏面に合成樹脂製や合成樹脂含浸紙等からなる化粧シートを貼着することが行われ、該化粧シートの貼着には従来から真空成形機を用いた真空加工法が採用されているが、前記指掛け溝の凹面に接着剤を塗布しておいてパネル表面側の化粧シートの一部で前記凹面を被覆しようとすると前記真空加工法では前記化粧シートの一部を確実に密着させることができず、前記指掛け溝の凹面に対応する化粧シート部分に皺が生じたり該化粧シート部分が裂破する、等の欠点があった。
【０００７】
一方、前記指掛け溝の深さについて種々検討すると、爪を伸ばしている主婦等をも対象とした場合、前記指掛け溝への指掛け操作上有効な深さとしては、扉の表面側の端縁から扉の幅方向に延ばした線を基線として、該基線から指掛け溝凹面の最深部までの深さが最低でも５ｍｍ程度が必要であり、好ましくは７ｍｍ以上有することが望まれるところ、指掛け溝のこのような小曲率の凹面においては前記化粧シート部分を前記真空加工法で密着させることは技術的に困難であった。特に近時は前記化粧シートとして、焼却時にダイオキシンが発生しない等、環境への影響がない材質のものを使用することが要請され、このような材質のシートは概して加工性が悪く、前記の小曲率の湾曲部への密着性が劣るものが多いから、前記のような皺の発生や裂破の現象が著しい。
【０００８】
尤も、前記指掛け溝だけを手作業的に別体の化粧シート等で覆うようにすることは可能であろうが、これでは量産性に欠け、工数の増加その他で多大のコストがかかり、しかもパネル表面の化粧シートと指掛け溝を覆う化粧シートとの継ぎ目が露呈し、壁面パネル風の外観を呈させようとする扉としては不向きである。
【考案の開示】
【考案が解決しようとする課題】
【０００９】
前記のような問題点を解決するため、我々は鋭意研究した結果、木質パネルの表裏面に真空成形機を用いて真空加工法により化粧シートを貼着して化粧パネルを製造する工程を工夫すると共に、小曲率の湾曲面に化粧シートを貼着できる装置を別に開発し、前記の工程の工夫と前記装置によって、前記指掛け溝の深さが前記真空加工法では前記表面側の化粧シートの一部で前記指掛け溝の凹面を覆うことができなような深さであっても、確実にこれを覆うことができた。
【００１０】
したがって、本考案が解決しようとする課題は、板状の扉基材の一方の小口面に把手としての操作上有効な深さの断面Ｕ字状の指掛け溝が形成されると共に真空加工法により前記パネルの表面側に貼着される化粧シートの一部で前記指掛け溝の凹面を被覆した板状扉の把手構造と、この把手構造を有する板状扉を備えた開閉扉と、壁面に設けられた収納棚の開口部を開閉する開閉扉の表面が少なくとも壁面の一部を構成するような壁面構造と、を提供することにある。
【課題を解決するための手段】
【００１１】
本考案に係る板状扉の把手構造は、板状の扉基材の表面に真空加工法により化粧シートを密着せしめて製造される板状扉の把手構造であって、前記化粧シートの一部分が、前記扉基材の一方の小口面に形成されて断面Ｕ字状の指掛け溝を構成する凹面に密着して、該凹面が前記扉基材の表面と共に一枚の前記化粧シートによって覆われており、前記扉基材の端縁部からの指掛け溝の深さが、前記凹面への前記化粧シートの真空加工法による密着加工を可能とする深さ寸法より大きい寸法で形成されていることを特徴とする。
【００１２】
請求項２に記載のものにおいては、指掛け溝の最深部から板状扉の端縁部までの該指掛け溝の深さ方向における寸法が、板状扉の表面側よりも該板状扉の裏面側の方が長く形成されていることを特徴とする。
【００１３】
本考案に係る開閉扉は、前記のような構成の把手構造を有する板状扉を備えていることを特徴とする。
【００１４】
請求項４に記載の開閉扉は、請求項２に記載の把手構造を有する一対の板状扉を指掛け溝が対向するように配置し、該一対の板状扉により観音開き状に構成されていることを特徴とする。
【００１５】
本考案に係る壁面構造は、収納棚と、該収納棚の開口部を開閉可能に覆うように配置された請求項３又は４に記載の開閉扉とを有し、該開閉扉の閉扉状態において板状扉の表面により壁面の少なくとも一部を構成することを特徴とする。
【考案の効果】
【００１６】
本考案の板状扉の把手構造によれば、扉の把手部が室内側に突出したりすることがないのは勿論、扉の表面に手掛け用凹部等が露呈する構成ではないから板状扉が一枚物のパネル状を呈し、該板状扉の表面があたかも壁面の一部であるかの如くデザインされた居室空間を形成することができる。また、指掛け溝は指掛け操作に有効な深さを有し、そのような深さの凹面であっても板状扉表面の化粧シートと一体の化粧シート部分で確実に覆われているから、外観上体裁が良好であるのは勿論、指掛け操作時に爪や指先を損傷したりするおそれはない。
【００１７】
請求項２に記載の板状扉の把手構造においては、指掛け溝の最深部から板状扉の端縁部までの該指掛け溝の深さ方向における寸法が、板状扉の表面側よりも裏面側の方が長く形成されているから、板状扉の手前側（表面側）の端縁と奥側（裏面側）の端縁との間がスリット状を呈し、扉における指掛け溝が形成されている位置乃至は部位を明示することができる。
【００１８】
本考案の開閉扉は前記のような構成の把手構造を有する板状扉を備え、開閉扉は一枚物の板状扉でその一方の小口面には操作上充分な深さでしかもその凹面が板状扉表面の化粧シートの一部で被覆された指掛け溝が設けられており、開き操作がし易く外観的にも優れた開閉扉とすることができる。
【００１９】
請求項４に記載の観音開き状（両開き）の開閉扉にあっては、左右開閉扉の間にスリットが形成され、デザイン的に好ましい外観を呈すると共に該スリットにより把手部の位置を明示することができる。
【００２０】
本考案の壁面構造によれば、収納棚の開口部を開閉する開閉扉の表面が壁面の少なくとも一部を構成するようになっているから、収納棚及びその開閉扉の存在を意識させないでこれらを壁面にとけ込ませた居室空間を得ることができる。
【考案を実施するための最良の形態】
【００２１】
扉基材として縦長矩形のオーク材を使用し、該基材の長手方向の一方の小口面に断面Ｕ字状の指掛け溝を上端から下端まで通して形成する。この扉基材の表面及び裏面に合成樹脂製の化粧シートを真空成型機で貼着する工程において、別に開発した技術を用いて所定の工程と装置とにより、前記扉基材の表面側に貼着される合成樹脂製の化粧シートの一部を前記指掛け溝の凹面に貼着した後、トリミング工程で所定のトリミングを行って開閉扉が製造される。
【００２２】
載置棚が室内方向に突出していて開閉扉の端縁部が室内の出隅に位置するような場合は別として、前記開閉扉の端縁部が室内の入隅に位置する場合や開閉扉の表面が壁面や隣接する開閉扉の表面と面位置になるような場合には、該開閉扉の前記指掛け溝が形成されている側の端縁部に指挿入用のスリットが形成されなければならないから、指掛け溝の最深部から板状扉の一端縁部までの該指掛け溝の深さ方向における寸法を板状扉の裏面側が表面側よりも長くなるようにして、該板状扉の表面側の端縁部と該板状扉に隣接する他の部材との間に指挿入用のスリットが形成されるようにする。
【００２３】
一対の開閉扉を前記指掛け溝が対向するように配置して観音開き状にする場合には、前記スリットは左右両側の開閉扉の端縁部で形成されるから、このような観音開き（両開き）用の開閉扉では、前記指掛け溝の深さ方向における寸法の表面側と裏面側との差をそれほど大きくする必要はない。
【００２４】
壁面構造としては、例えば、壁面の全体又は一部に収容棚を設け、該収納棚の開口部を開閉可能に覆うように前記開閉扉を配置する。該開閉扉を観音開き（両開き）に配置する場合は前記観音開き用のものを配置する。多数の開閉扉が上下方向又は左右方向に配置された壁面は前記スリットが壁全体の線模様となる。
【実施例１】
【００２５】
図１は観音開き（両開き）用の開閉扉の一部除去した横断面平面図であり、図２は片開き用の開閉扉の一部除去した横断面平面図である。図３は図１に示す観音開き用の開閉扉における指掛け溝を拡大して示す部分拡大断面図であり、図４は図２に示す片開き用の開閉扉における指掛け溝を拡大して示す部分拡大断面図、図５は開閉扉の上下の小口を示す部分拡大断面図である。図６は開閉扉を観音開き（両開き）状に配置した例を示す要部の斜視図、図７は開閉扉の表面が壁面の一部となるように配置した例を示す壁面構造の正面図である。
【００２６】
図において、１は板状扉を示し、所定の高さ、間口幅及び厚さのオーク材等からなる縦長矩形の板状をなす扉基材２に対し、扉基材２の表裏面への接着剤の塗布工程、該扉基材２の表面及び裏面への化粧シートの貼着工程、指掛け溝への密着工程、上下の小口面への化粧テープの貼着工程、トリミング工程等を組み合わせて製造されるものである。前記扉基材２の表面２ａ及び裏面２ｂへの化粧シート６，７の最終貼着工程では真空成形機（図示しない）を用いた真空加工法により行われる。
【００２７】
前記のようにして製造される板状扉１の把手構造１０は、前記扉基材２の縦方向の一方の小口面３に、断面Ｕ字状の指掛け溝５を形成し、該指掛け溝５を構成する凹面５ａに前記扉基材２の表面２ａに貼着される化粧シート６の一部６ａを密着させて、１枚の化粧シート６で前記扉基材２の表面２ａと前記凹面５ａとを覆うことにより構成されている。
【００２８】
通常、板材に真空成形機を用いて真空加工法により化粧シートを貼着するに際し、該板材に形成された凹部にも前記化粧シートを密着させようとする場合には、その凹部は曲率がある程度大きく、しかもその凹部の深さが浅いものでなければ密着しないが、我々が別に開発した前記装置及び加工工程によれば、前記凹部の曲率が小さくしかも該凹部の深さが頗る深いものであっても密着させることができるから、前記指掛け溝５の深さは指掛け操作を容易になし得る深さに形成する。
【００２９】
前記指掛け溝５の形成に際しては、例えば、収納棚が室内方向に突出していて該収納棚を覆う前記板状扉１の一方の小口面３が室内の出隅に位置しているような場合には、前記指掛け溝５を前記小口面３に板幅方向に所定の深さで形成しただけのものでもよいが、板状扉１が隣接する壁面パネルＰ（図７）と面一になるような場合や前記一方の小口面３が室内の入隅に位置するような場合、あるいは２枚の板状扉１が観音開き状（図６）に配置されるような場合には、前記指掛け溝５の断面形状として、板状扉１の一方の端面側に指挿入用のスリットＳ（図７）が形成されるような形態でなければならない。
【００３０】
そこで、実施例では、図３及び図４に明示するように、板状扉１の表側の端縁３ａが裏側の端縁３ｂよりも内側寄り（板幅方向寄り）になるように、すなわち、前記指掛け溝５の最深部５ｂから前記扉基材２の端縁部までの該指掛け溝５の深さ方向ｆにおける寸法が、前記扉基材２の表面２ａ側の端縁３ａまでの寸法３ａＬよりも該扉基材２の裏面２ｂ側の端縁３ｂまでの寸法３ｂＬの方が長くなるようにし、これにより、前記表面２ａ側の端縁３ａと裏面２ｂ側の端縁３ｂとの間に前記スリットＳが形成されるようにしてある。また、図４に示すような片開き用の板状扉１の場合には前記スリットＳを大きく設定し、図３に示すような観音開き（両開き）用の板状扉１の場合には前記スリットＳを小さく設定してある。これは、図３に示すような観音開き（両開き）用の場合には左右の板状扉１，１にそれぞれスリットＳを有するから、両方のスリットＳ，Ｓで幅の広いスリットを確保することができるからである。
【００３１】
実施例では扉基材２の厚さは２１ｍｍ、指掛け溝５の開口部の幅は１２ｍｍ、凹面５ａはＲ６であり、指掛け操作上有効な前記指掛け溝５の深さは、前記表面２ａ側の端縁３ａから指掛け溝５の最深部５ｂまでの深さ、すなわち、前記寸法３ａＬであるから、爪を伸ばしている主婦等を対象とした場合、該寸法３ａＬを少なくとも５ｍｍ以上、好ましくは７ｍｍ以上に設定する。実施例では７ｍｍに設定してある。なお、前記寸法３ｂＬは、図３においては１５ｍｍ、図４では２３ｍｍである。
【００３２】
図１，図２に示すように、前記扉基材２の他方の小口面４は平坦面であるから、通常の真空加工工程により前記表面２ａに貼着される化粧シート６の他端部６ｂで密着被覆することができる。また、図５に示すように、扉基材２の上下の小口には前記化粧シート６，７と同様材質の小口テープ８を貼着し、板状扉１の裏面側角部や上下角部等が所定のトリミング工程でトリミングされる。
【００３３】
前記のようにして形成された把手構造１０を有する板状扉１は、図６及び図７に示すように、壁面Ｐに設けられた収納棚３１の開口部を覆う開閉扉２１として取り付けられる。開閉扉２１が片開きの場合には、図４に示す形態の板状扉１が使用され、観音開き（両開き）の場合には、図３に示す形態の板状扉１が使用される。
【００３４】
前記のようにして開閉扉２１が取り付けられると、図７に示すように、壁面に対して前記スリットＳが統一されたスリット模様を呈し、室内のインテリアデザインとしても好ましい形態となる。
【産業上の利用可能性】
【００３５】
実施例では把手構造を板状扉に縦方向に形成する例を示したが、この把手構造を開き戸等の上縁又は下縁に設けることもでき、また、本考案の把手構造を通常の壁面パネルに設けて該壁面パネルでスリットを有する壁面をインテリアデザインすることもできる。
【図面の簡単な説明】
【００３６】
【図１】観音開き（両開き）用の開閉扉の一部除去した横断面平面図である。
【図２】片開き用の開閉扉の一部除去した横断面平面図である。
【図３】図１に示す観音開き用の開閉扉における指掛け溝を拡大して示す部分拡大断面図である。
【図４】図２に示す片開き用の開閉扉における指掛け溝を拡大して示す部分拡大断面図である。
【図５】開閉扉の上下の小口を示す部分拡大断面図である。
【図６】開閉扉を観音開き（両開き）状に配置した例を示す要部の斜視図である。
【図７】開閉扉の表面が壁面の一部となるように配置した例を示す壁面構造の正面図である。
【符号の説明】
【００３７】
１      板状扉
２      扉基材
２ａ    表面
２ｂ    裏面
３      一方の小口面
３ａ    表側の端縁
３ｂ    裏側の端縁
４      他方の小口面
５      指掛け溝
５ａ    凹面
５ｂ    最深部
３ａＬ  最深部５ｂから表側の端縁３ａまでの寸法
３ｂＬ  最深部５ｂから裏側の端縁３ｂまでの寸法
６      表面２ａに貼着される化粧シート
６ａ    化粧シートの一部
７      裏面に貼着される化粧シート
８      上下の小口
９      小口テープ
１０    把手構造
２１    開閉扉
３１    収納棚
ｆ      指掛け溝の深さ方向
Ｐ      壁面パネル
Ｓ      スリット
【図１】
0003100903.tif 000003
【図２】
0003100903.tif 000004
【図３】
0003100903.tif 000005
【図４】
0003100903.tif 000006
【図５】
0003100903.tif 000007
【図６】
0003100903.tif 000008
【図７】
0003100903.tif 000009